(57)【要約】【課題】日よけすだれは、塵埃、煤煙、排気ガス中に含まれる水に不溶の成分等によって汚染され、見苦しくなるうえ、大気汚染物質を分解できない。【解決手段】日よけすだれ１００を構成する横骨５表面等に、二酸化チタン粒子等の光触媒を数重量％〜２０重量％程度混合した液状体を塗布、乾燥させる、または横骨５を構成する樹脂部材内に多孔質シリカまたは多孔質アルミナ等の無機物で被覆した二酸化チタン粒子等の光触媒を数重量％〜２０重量％程度混合し、所望の形状に押し出し成形することにより、すだれに殺菌性、防汚性、防臭性、車の排ガス等の分解性を付与する。【選択図】　図１
2004089316.tif 000002
【特許請求の範囲】
【請求項１】
複数の横骨を連繋したすだれであって、前記すだれを構成する部材の内、少なくとも前記横骨に光触媒を配設したことを特徴とする日よけすだれ。
【請求項２】
横骨が細く切った竹、葦、細く切った木、樹脂製細管、樹脂製細棒、金属製細管、金属製細棒の内、いずれか一つからなることを特徴とする請求項１記載の日よけすだれ。
【請求項３】
光触媒に分解されない多孔質部材で光触媒粒子を被覆したことを特徴とする請求項１〜２のいずれか１項に記載の日よけすだれ。
【請求項４】
複数の横骨を連繋したすだれであって、前記横骨が光触媒粒子を混入した樹脂部材を細管状または細棒状のいずれか一方に成形してなることを特徴とする日よけすだれ。
【請求項５】
複数の横骨を連繋したすだれであって、前記すだれを構成する部材の内、少なくとも横骨に光触媒を配設したことを特徴とする食品巻き回すだれ。
【請求項６】
横骨が細く切った竹、細く切った木、樹脂製細棒、金属製細棒、金属製細管の内、いずれか一つからなることを特徴とする請求項５記載の食品巻き回すだれ。
【請求項７】
複数の珠および／または軸状体を連繋したすだれであって、前記すだれを構成する部材の内、少なくとも前記珠および／または軸状物に光触媒を配設したことを特徴とする暖簾風すだれ。
【発明の詳細な説明】
【０００１】
【発明の属する技術分野】
本発明は光触媒を備えた日よけすだれ、食品巻き回すだれ、暖簾風すだれに関する。
【０００２】
【従来の技術】
強い日差しを避けるべく住宅の窓や入口に吊り下げ、または立てかけられる日よけすだれ（簾）は、安価で軽く、収納、採光が容易なため一般家庭で多く用いられている。室内間の簡易区切りや目隠し、装飾に暖簾風珠すだれも多用されている。
市販されている日よけすだれは、一般に上桟、下桟、横骨、前記上桟・下桟と横骨とを連繋するごとく編んだ縦糸とからなる。
前記横骨は、細く切った竹、葦（直径３ｍｍ程度のアシ（ヨシ））、樹脂製薄肉細管（プラスチック成形パイプ）等の内、いずれか一つの部材からなる。
【０００３】
すだれに刺繍を施したものとして特開２００１−１５７６３３号公報、使い方の多様性を得られるようにしたすだれとして特開２０００−３１１２８４号公報、通風と採光に加えて屋内の透視を防止したすだれとして特開平０９−１１２１５９号公報、消臭用の炭を備えた暖簾として特開２０００−３４０８１２号公報などが提案されている。
また、巻き寿司風味のあるトースト巻きを形成する食品巻き回すだれとして特開平２００２−１９１３３０号公報が提案されている。
【０００４】
【発明が解決しようとする課題】
しかし、前記特開２００１−１５７６３３号公報、特開２０００−３１１２８４号公報、特開平０９−１１２１５９号公報等に提案されている日よけすだれは、いずれも遮光と通風機能を有するものの、すだれの防汚、防臭、車の排ガスの分解、煙草の煙やアンモニアの分解といった機能を備えるものでない。
また、前記特開平２００２−１９１３３０号公報も殺菌性を備えていない。
さらに、特開２０００−３４０８１２号公報は消臭機能を備えるものの、光触媒機能を備えた暖簾ではない。
【０００５】
本発明は、日よけすだれ、食品巻き回すだれ、暖簾風すだれに光触媒を配設することにより殺菌性、防カビ性、防汚性、防臭性、車の排ガス、たばこの煙やアンモニアガスの分解性等を付与することを目的とする。
【０００６】
【課題を解決するための手段】
上記課題を解決するために本発明における日よけすだれ、食品巻き回すだれ、暖簾風すだれは、すだれを構成する部材の内、少なくとも横骨に二酸化チタン粒子等の光触媒を配設する構成とした。
前記横骨を、外形を１ｍｍ〜５ｍｍ程度、好適には３ｍｍ程度に細く切った竹、葦、細く切った木、樹脂製薄肉細管、樹脂製細棒、金属製薄肉細管（アルミニウム、黄銅等）、金属製細棒（アルミニウム、黄銅等）の内、いずれか一つからなる構成とした。横骨の断面形状は管状、円形、四角形、略半円形等とした。
また、光触媒に分解されない多孔質部材で光触媒粒子を被覆する構成とした。
さらに前記横骨が、光触媒粒子を混入した樹脂部材を薄肉細管状や細棒状に押し出し成形してなる構成とした。
【０００７】
上記構成により本発明の日よけすだれ、食品巻き回すだれ、暖簾風すだれは、すだれ表面に付着した細菌・カビ・汚れ物質、車の排ガス、たばこの煙、アンモニアガス等を分解し環境保全、防臭を図れる。
【０００８】
本発明のすだれに二酸化チタン粒子等の光触媒を固定する第１の方法は、例えば二酸化チタン水溶液に水溶性の樹脂バインダーを混合した液状体を準備し、該液状体にすだれを浸漬し、引き上げて乾燥させる構成とした。または、溶媒で希釈した合成樹脂バインダーと共に二酸化チタン粒子を平均的に付着させ、乾燥する構成とした。このように、液状体に混合する前記光触媒をアナターゼ結晶形の二酸化チタン粒子とし、該二酸化チタン粒子を水および／または有機溶媒に懸濁させたものあるいはスラリーにしたものを塗布、乾燥させる構成とした。
二酸化チタンの粒子径は数ｎｍ〜数百ｎｍ、液状体への混入量は数重量％〜２０重量％程度の範囲とした。光触媒を含んだ液状体の塗布膜厚は数μｍ〜２０μｍ程度とした。
樹脂バインダーはアクリル系樹脂、ウレタン系樹脂、メラミン系樹脂、エポキシ系樹脂、シリコン系樹脂、フッ素系樹脂、酢酸ビニール系樹脂、スチレン系樹脂、ＵＶ樹脂（紫外線硬化樹脂）等から選んだ一つとした。
前記有機溶媒としてはプロパノール、アルコール、エステル、エーテル、アミン、炭化水素等から選んだ一つ、またはそれらの混合物等とした。
なお、チタニアゾル液にシランカップリング剤、チタンカップリング剤を加えたり、溶媒に界面活性剤を加えること等は任意に実施してよい。
また、光触媒を混合する前記液状体は近紫外線を受光するため透光性を有していることが望ましい。ただし、光触媒が水またはアニリン等を含浸している場合はこの限りでない。
すだれに光触媒を配設する第２の方法は、横骨を構成する樹脂部材内に二酸化チタン粒子等の光触媒を数重量％〜２０重量％配合し、所望の薄肉細管状、細棒状等に押し出し成形する構成とした。
光触媒をすだれに配設する手段は、前記の他に、印刷法、スプレー法、気相コーティング法たとえばスパッタ、蒸着等のＰＶＤ（フィジカル・ベーパ・ディポジション）またはＣＶＤ（ケミカル・ベーパ・ディポジション）、溶射など任意の手段を用いてよい。
すだれに配設する光触媒も任意の部材を用いてよい。例えば、二酸化チタン、または二酸化チタンと活性炭との混合物等からなる光触媒の微粉末粒子、可視光応答型酸化チタン光触媒などとしてよい。
二酸化チタンはアナターゼ型のものが好ましいが、銅、銀、白金、その他の金属でメタライズされたルチル型二酸化チタンとしてもよい。
また、ＷＯ２，Ｃｄｓ，ＣｄＳｅ，ＳｒＴｉＯ２，ＭｏＳ２のような半導体で光触媒を形成するようにしてもよい。
さらに、光触媒に不活性な（分解されない）アルミナ、シリカ、アパタイト等の多孔質膜で覆われた二酸化チタン粒子をすだれ表面に露出させる構成としてもよい。
さらに、光触媒に水または有機溶剤（アニリン等）を含浸させてもよい。水または有機溶剤を含浸した光触媒を液状体に混合し、対象部位に塗布するようにしてもよい。液状体の加熱、乾燥過程で水または有機溶剤が蒸発し、光触媒の保持膜に気孔を形成し、光触媒に近紫外線を直接照射可能にする。
さらに、光触媒と吸着部材（セラミックスのアパタイト、ゼイライト、セピオライト等）とを併用する構成、光触媒粒子の一部を吸着部材で包み込む構成等としてよい。
上述のごとく、光触媒をすだれに配設することにより、表面の各種汚れを分解したり，表面の細菌を殺したり，付着した臭いを取る。即ち、太陽光や蛍光灯など３００ｎｍ〜４００ｎｍの近紫外線を受けた光触媒は活性化して有機物（アセトアルデヒドやアンモニア等）、窒素酸化物、塩素化合物等を酸化・分解する。分解した汚染物質は、雨や放水等によって容易に除去できる。
【０００９】
【発明の実施の形態】
本発明における第１の発明は、複数の横骨を縦糸で編んだすだれであって、前記すだれを構成する部材の内、少なくとも前記横骨に光触媒を配設したことを特徴とする日よけすだれ，または食品巻き回すだれとしたもので、車の排ガス等を分解して大気汚染を減少させる。また、防カビ性、殺菌性、防臭性、防汚性も発揮する。
【００１０】
本発明における第２の発明は、横骨が細く切った竹、葦、細く切った木、樹脂製薄肉細管、樹脂製細棒、金属製薄肉細管、金属製細棒の内、いずれか一つからなることを特徴とする第１の発明に記載の日よけすだれ，または食品巻き回すだれとしたもので、葦と樹脂製薄肉細管以外の部材は横骨の機械的強度が大きい。本発明における第３の発明は、光触媒に分解されない多孔質部材で光触媒粒子を被覆したことを特徴とする第１の発明〜第２の発明のいずれか１項に記載の日よけすだれ，　または食品巻き回すだれとしたもので、横骨部材等が光触媒によって分解されるのを防止する。
【００１１】
本発明における第４の発明は、複数の横骨を縦糸で編んだすだれであって、前記横骨が光触媒粒子を混入した樹脂部材を細管状または細棒状に押し出し成形してなることを特徴とする日よけすだれ，または食品巻き回すだれとしたもので、横骨の製造過程で、横骨に光触媒機能を付与できる。
【００１２】
本発明における第５の発明は、複数の珠および／または軸状物を連繋したすだれであって、前記すだれを構成する部材の内、少なくとも前記珠および／または軸状物に光触媒を配設したことを特徴とする暖簾風すだれとしたもので、室内で発生するたばこの煙、アンモニアガス、各種臭気成分等を分解し、殺菌作用を発揮する。
【００１３】
【実施例】
以下、本発明の実施例について日よけすだれの例により図面と共に説明する。
【００１４】
（実施例１）
図１は本発明の一実施例における日よけすだれの概念正面図を示す。符号１は吊り紐、２は竹を平に削った上桟、３は同じく竹を平に削った下桟、４は前記上下桟と複数の横骨とを連繋するごとく編んだ縦糸（縦紐）、５は横骨、１００は日よけすだれを示す。
前記横骨５は、直径を約３ｍｍ程度に細く削った竹、葦、細く削った木、樹脂製薄肉細管、樹脂製細棒、金属製薄肉細管（アルミニウム管）、金属製細棒（直径３ｍｍ程度のアルミニウム棒）の内から選んだいずれか一つからなる。
【００１５】
本発明の日よけすだれは、光触媒の二酸化チタン粒子を含んだ液状体に日よけすだれ全体を浸漬し、乾燥させることにより光触媒をすだれの表裏面に均一に配設する構成とした。
詳しくは、フッ素系樹脂（または塗料）をアセトン等の溶剤で希釈した液状体に二酸化チタン粒子（粒子径は１０ｎｍ〜３０ｎｍ）を５〜１０重量％混入し分散させる。次に、前記液状体に日よけすだれを浸漬し、ついでゆっくりと引き上げ２μｍ〜１０μｍ程度の塗布膜を得た。ついで摂氏４０度〜５０度の乾燥機内で１５〜２０分間乾燥させた。これにより日よけすだれの表面全体に光触媒が配設される。なお、日よけすだれに液状体を塗布した後、天日で乾燥させてもよい。
【００１６】
上記実施例１において、日よけすだれに光触媒を含んだ液状体を塗布する手段として、スプレー方式、印刷方式等任意の手段を用いてよいことは言うまでもない。
また、日よけすだれ表面に第一層として、光触媒に不活性なＳｉＯ２下地層を形成した後、重ねて光触媒を含んだ液状体たとえばシリコン樹脂を数μｍ〜１０μｍの厚さに塗布、乾燥して光触媒機能を備える構成等としてよい。
さらに、液状体に含ませる光触媒粒子を無機物たとえば多孔質シリカ、多孔質アルミナ、セラミックスのアパタイト等で内包させる構成としてもよい。
【００１７】
本発明における日よけすだれは、上記構成により殺菌性、防臭性、防汚性、付着した汚染物質の分解性を備え、車の排ガス等による大気汚染を減少できる。
【００１８】
（実施例２）
本発明の実施例２における日よけすだれは、横骨部材に二酸化チタン粒子等の光触媒を混入する構成とした。即ち、横骨を構成する樹脂部材たとえばナイロン樹脂、ＡＢＳ樹脂やポリプロピレン樹脂等の一つに、多孔質シリカまたは多孔質アルミナ、アパタイト等で被覆した二酸化チタン粒子を混合し、所望の横骨形状たとえば薄肉細管状または細棒状に押し出し成形する構成とした。
前記二酸化チタン粒子の外形は数ｎｍ〜数百ｎｍ程度、混入量を数重量％〜２０重量％程度とした。
【００１９】
この場合の日よけすだれも殺菌性、防臭性、防汚性、付着した汚染物質の分解性を備え、車の排ガス等による大気汚染を減少できる。
【００２０】
なお上記実施例１、２において、横骨の断面形状は薄肉管状、円形、四角形、略半円状など任意形状としてよいことは言うまでもない。
さらに、横骨をアルミニウム等の金属性薄肉細管または金属性細棒で構成してよいことも同様である。横骨が金属製の場合、表面をアルマイト処理により所望に着色してよい。
さらに、本発明のすだれは住宅の日よけすだれとして用いることの他に、自動車の窓ガラスの遮光用具、食品の巻き回用具（巻き寿司等の加工）として用いてよいことも同様である。
すだれの展開形状も四角形に限るものでなく、略円形、自動車の窓ガラスに対応した形状など任意としてよい。
横骨を金属製部材で構成した場合、室内や車内に配設することによって遮光と併せ、蓄熱・蓄冷効果も発揮できる。
さらに、すだれの表面に、二酸化チタン等の光触媒を含んだインクにより絵模様等を印刷し装飾性を付与してよいことも言うまでもない。
さらに、すだれは複数の横骨を連繋したものに限らず、連珠状の球すだれとしてもよい。勿論、珠および／または軸状体を鉛直方向に連繋した暖簾風すだれとしてもよい。
【００２１】
【発明の効果】
以上のように本発明のすだれは、光触媒を配設することにより、殺菌性、防臭性、防汚性、付着した汚染物質の分解性を備える。その結果、車の排ガス等による大気汚染の減少等に役立つ。
【図面の簡単な説明】
【図１】本発明の日よけすだれを構成する概念の正面図
【符号の説明】
１　吊り紐
２　上桟
３　下桟
４　縦糸（縦紐）
５　横骨
１００　日よけすだれ
【図１】
2004089316.tif 000003